(57)【要約】【課題】複数の画像供給装置が供給する複数の画像を再生して表示する場合に、遅延や画質の劣化を低減させて表示させることを可能にする。【解決手段】複数の画像の再生順序、サイズ及び再生時間を少なくとも示すプレイリスト情報に従って複数の画像を供給する複数の画像供給装置と、複数のプレイリスト情報に従って複数の画像供給装置が供給する複数の画像を再生して表示する表示装置とを有する表示システムであって、複数の画像供給装置それぞれから受信した複数のプレイリスト情報を用いて、表示装置が複数の画像を再生するタイミングに対応するスケジュール情報を生成するスケジュール生成部と、スケジュール情報とプレイリスト情報とに基づいて画像再生タイミングを制御する再生制御部とを有し、画像供給装置は、スケジュール情報が示すタイミングに合わせて、プレイリスト情報が示す再生順序で複数の画像を表示装置へ送信する。【選択図】図４
2017059966.tif 000002
【特許請求の範囲】
【請求項１】
複数の画像の再生順序、サイズ及び再生時間を少なくとも示すプレイリスト情報に従って複数の画像を供給する複数の画像供給装置と、複数の前記プレイリスト情報に従って複数の前記画像供給装置が供給する複数の画像を再生して表示する表示装置とを有する表示システムであって、
複数の前記画像供給装置それぞれから受信した複数の前記プレイリスト情報を用いて、前記表示装置が複数の画像を再生するタイミングに対応するスケジュール情報を生成するスケジュール生成部と、
前記スケジュール情報と前記プレイリスト情報とに基づいて画像再生タイミングを制御する再生制御部とを有し、
前記画像供給装置は、
前記スケジュール情報が示すタイミングに合わせて、前記プレイリスト情報が示す再生順序で複数の画像を前記表示装置へ送信すること
を特徴とする表示システム。
【請求項２】
前記スケジュール生成部は、
複数の前記プレイリスト情報が示す複数の画像のサイズ、及び前記表示装置の受信速度に基づいて、複数の前記プレイリスト情報が示す複数の画像にかかる転送時間を算出し、算出した複数の画像の転送時間と、前記プレイリスト情報が示す複数の画像の再生時間とに基づいて、同時に転送される画像の量が所定値を超えないように、前記所定値を超えると見込まれる画像を再生タイミングよりも前に転送し、前記表示装置が複数の画像を再生する順に受信するように前記スケジュール情報を生成すること
を特徴とする請求項１に記載の表示システム。
【請求項３】
前記スケジュール生成部は、
複数の前記プレイリスト情報が示す複数の画像の仕様と、前記表示装置の画像を再生して表示する処理能力の仕様とに基づく画像処理時間を算出し、算出した画像処理時間に応じて、複数の前記プレイリスト情報が示す複数の画像にかかる転送時間を算出すること
を特徴とする請求項２に記載の表示システム。
【請求項４】
前記スケジュール生成部は、
複数の前記プレイリスト情報が示す複数の画像にかかる転送時間を算出した結果、前記所定値を超えると見込まれる画像を再生タイミングよりも前に転送しても、同時に転送される画像の量が所定値以下にならない場合、同時に転送される画像の量を所定値以下にするように、複数の前記画像供給装置の少なくともいずれかに対して、供給する画像のデータ量を制限させること
を特徴とする請求項３に記載の表示システム。
【請求項５】
前記スケジュール生成部は、
複数の前記プレイリスト情報が示す複数の画像にかかる転送時間を算出した結果、前記所定値を超えると見込まれる画像を再生タイミングよりも前に転送しても、同時に転送される画像の量が所定値以下にならない場合、予め定められた優先度の高い前記画像供給装置が供給する画像を優先させて前記スケジュール情報を生成すること
を特徴とする請求項２に記載の表示システム。
【請求項６】
前記優先度を設定する入力を受入れる操作部
を有すること
を特徴とする請求項５に記載の表示システム。
【請求項７】
前記スケジュール生成部は、
供給する画像のフレームレートの高い順に優先度の高い前記画像供給装置とすること
を特徴とする請求項５に記載の表示システム。
【請求項８】
前記スケジュール生成部は、
さらに追加のプレイリスト情報を取得した場合、改めてスケジュール情報を生成すること
を特徴とする請求項１乃至７のいずれか１項に記載の表示システム。
【請求項９】
複数の画像供給装置それぞれが複数の画像の再生順序、サイズ及び再生時間を少なくとも示すプレイリスト情報に従って供給する複数の画像を再生して表示する表示装置であって、
複数の前記画像供給装置それぞれから受信した複数の前記プレイリスト情報を用いて、複数の画像を再生するタイミングに対応するスケジュール情報を生成するスケジュール生成部と、
前記スケジュール情報に基づいて、複数の画像供給装置それぞれから複数の画像を受信する通信部と、
前記通信部が受信した複数の画像を、前記スケジュール情報が示すタイミングに合わせて、前記プレイリスト情報が示す再生順序で表示する表示部と、
を有することを特徴とする表示装置。
【請求項１０】
複数の画像の再生順序、サイズ及び再生時間を少なくとも示すプレイリスト情報に従って複数の画像を供給する複数の画像供給装置それぞれから受信した複数の前記プレイリスト情報を用いて、表示装置が複数の画像を再生するタイミングに対応するスケジュール情報を生成するスケジュール生成部と、
前記スケジュール情報を複数の前記画像供給装置に対して送信する通信部と、
を有することを特徴とする情報処理装置。
【請求項１１】
複数の画像の再生順序、サイズ及び再生時間を少なくとも示すプレイリスト情報に従って複数の画像を供給する複数の画像供給装置それぞれから受信した複数の前記プレイリスト情報を用いて、表示装置が複数の画像を再生するタイミングに対応するスケジュール情報を生成するステップと、
前記スケジュール情報を複数の前記画像供給装置に対して送信するステップと、
をコンピュータに実行させるための情報処理プログラム。
【発明の詳細な説明】
【技術分野】
【０００１】
本発明は、表示システム、表示装置、情報処理装置及び情報処理プログラムに関する。
【背景技術】
【０００２】
ＰＣやスマートフォンなどの端末からネットワークを通じて、プロジェクタやディスプレイなどの表示装置に複数の画像（静止画・動画）を送信し、表示装置で受信した画像を順次表示させるスライドショー表示の技術が知られている。また、表示装置には、１つの画面内に複数の異なる画像信号源の画像を画面内に分割して表示を行うマルチ画面表示を行うものがある。
【０００３】
例えば、特許文献１には、入力手段に入力する複数の映像信号の伝送情報量の総計を任意の値にするために、各伝送情報量の変更量と変更方法を決定し、各伝送情報量の変更方法を指定した情報量制御信号を作成して、入力手段に入力する伝送情報量の総計を制御する画像処理装置が開示されている。
【発明の概要】
【発明が解決しようとする課題】
【０００４】
しかしながら、従来のマルチ画面表示を行うことができる表示装置に対して、複数の端末から同時にスライドショー表示を行うと、情報量が多くなるため、伝送速度や画像処理速度の制限を超えてしまい、遅延が発生したり、正しい表示ができなくなるという問題があった。この問題に対して、伝送情報量の総計を任意の値に制御すると、解像度や更新周期などが調整され、画質が劣化するという問題があった。
【０００５】
本発明は、上記に鑑みてなされたものであって、複数の画像供給装置が供給する複数の画像を再生して表示する場合に、遅延や画質の劣化を低減させて表示させることを可能にする表示システム、表示装置、情報処理装置及び情報処理プログラムを提供することを目的とする。
【課題を解決するための手段】
【０００６】
上述した課題を解決し、目的を達成するために、本発明は、複数の画像の再生順序、サイズ及び再生時間を少なくとも示すプレイリスト情報に従って複数の画像を供給する複数の画像供給装置と、複数の前記プレイリスト情報に従って複数の前記画像供給装置が供給する複数の画像を再生して表示する表示装置とを有する表示システムであって、複数の前記画像供給装置それぞれから受信した複数の前記プレイリスト情報を用いて、前記表示装置が複数の画像を再生するタイミングに対応するスケジュール情報を生成するスケジュール生成部と、前記スケジュール情報と前記プレイリスト情報とに基づいて画像再生タイミングを制御する再生制御部とを有し、前記画像供給装置は、前記スケジュール情報が示すタイミングに合わせて、前記プレイリスト情報が示す再生順序で複数の画像を前記表示装置へ送信することを特徴とする。
【発明の効果】
【０００７】
本発明によれば、複数の画像供給装置が供給する複数の画像を再生して表示する場合に、遅延や画質の劣化を低減させて表示させることを可能にすることができるという効果を奏する。
【図面の簡単な説明】
【０００８】
【図１】図１は、従来の表示システムと、実施形態にかかる表示システムとを概念的に比較して示す図である。
【図２】図２は、実施形態にかかる表示システムの構成例を示す図である。
【図３】図３は、画像供給装置のハードウェア構成例を示すブロック図である。
【図４】図４は、画像供給装置が有する機能の概要を示す機能ブロック図である。
【図５】図５は、表示装置のハードウェア構成例を示すブロック図である。
【図６】図６は、表示装置が有する機能の概要を示す機能ブロック図である。
【図７】図７は、表示システムの動作例を示すシーケンス図である。
【図８】図８は、表示装置によって画像を投影させるための手順を示すフローチャートである。
【図９】図９は、表示装置が画像送信タイミングを決定する場合に行う処理例を示すフローチャートである。
【発明を実施するための形態】
【０００９】
以下に添付図面を参照して、表示システムの実施形態について説明する。図１は、従来の表示システムと、実施形態にかかる表示システムとを概念的に比較して示す図である。
【００１０】
図１（ａ）は、従来の表示システムの概要を示している。従来の表示システムは、複数の画像供給装置がそれぞれ送信する静止画や動画のスライドショーを、画像表示装置が受信してマルチ画面によって表示している。ここで、複数の画像供給装置から画像表示装置へデータを送信する通信経路において、複数の画像供給装置からデータが同時に転送されている区間では情報量が多くなっている。このとき、従来の表示システムでは、同時に転送されるデータが伝送速度や画像処理速度の制限を超えてしまい、遅延が発生したり、正しい表示ができなくなることがあった。
【００１１】
図１（ｂ）は、実施形態にかかる表示システムの概要を示している。実施形態にかかる表示システムは、複数の画像供給装置が静止画や動画のスライドショーをそれぞれ送信しても、同時に転送される情報量が多くなると見込まれる場合には、データの転送量が少ない事前の期間にデータを転送して画像処理を行っておくので、データが伝送速度や画像処理速度の制限を越えない。
【００１２】
次に、実施形態にかかる表示システムについて具体的に説明する。図２は、実施形態にかかる表示システム１の構成例を示す図である。表示システム１は、例えば複数の画像供給装置２と、表示装置（画像表示装置）３とを有する。より詳細には、表示システム１は、複数の画像の再生順序、サイズ及び再生時間を少なくとも示すプレイリスト情報に従って複数の画像を供給する複数の画像供給装置２と、複数のプレイリスト情報に従って複数の画像供給装置２が供給する複数の画像を再生して表示する表示装置３とを有する表示システムとなっている。また、図２に示した表示システム１は、一例であり、他の構成であってもよい。例えば、表示システム１は、複数の画像供給装置２に接続されたサーバ４をさらに備えていてもよい。
【００１３】
図３は、画像供給装置２のハードウェア構成例を示すブロック図である。画像供給装置２は、例えばＰＣ（Personal  Computer）などであり、図３に示すように、操作部２０、ＣＰＵ２１、メモリ２２、及び通信部２６を有する。
【００１４】
操作部２０は、画像供給装置２に対するユーザからの操作入力を受入れる入力キーやスイッチなどである。例えば、操作部２０は、後述する優先度を設定する入力を受入れる。ＣＰＵ２１は、メモリ２２が記憶している各プログラムを実行することにより、画像供給装置２を構成する各部を制御する。通信部２６は、送信機能及び受信機能を備えており、ネットワークを介して他の機器との通信を行う。
【００１５】
図４は、画像供給装置２が有する機能の概要を示す機能ブロック図である。画像供給装置２は、例えば画像処理部２３、プレイリスト情報作成部２４、及び符号化部２５を有する。
【００１６】
画像処理部２３は、表示装置３に対して供給する画像に対する処理を行う。プレイリスト情報作成部２４は、表示装置３に対して供給する複数の画像の再生順序、サイズ及び再生時間を少なくとも示すプレイリスト情報を作成する。例えば、プレイリスト情報は、画像供給装置２の識別子（ＩＰアドレスや機器名など）、再生順序（画像の識別子のリスト）、各画像の識別子（ＩＤやファイル名など）、各画像の再生時間、各画像の画像仕様、種別（動画、静止画）、データサイズ、大きさ（縦、横）、解像度、及びフレームレートなどの情報を含んでいる。
【００１７】
符号化部２５は、画像処理部２３が処理した画像に対する符号化を行う。例えば、符号化部２５は、画像処理部２３が処理した画像を通信部２６が送信する場合に、画像の送信に適するように情報量を削減する符号化を行う。そして、画像供給装置２は、スケジュール情報が示すタイミングに合わせて、プレイリスト情報が示す再生順序で複数の画像を表示装置３へ送信する。
【００１８】
図５は、表示装置３のハードウェア構成例を示すブロック図である。表示装置３は、例えばプロジェクタなどであり、図５に示すように、ＣＰＵ３１、メモリ３２、投影部（表示部）３５、及び通信部３６を有する。
【００１９】
ＣＰＵ３１は、メモリ３２が記憶している各プログラムを実行することにより、表示装置３を構成する各部を制御する。また、メモリ３２は、表示装置３のスペック（仕様）に関する情報を記憶するようにされてもよい。例えば、メモリ３２は、表示装置３の画像転送速度（過去の実績値等）、ＣＰＵ３１の仕様、ＣＰＵ利用率、残メモリ量、画像処理時間（過去の実績値等）、画像処理種別、表示領域（縦、横）、動作しているジョブの数などを記憶するようにされてもよい。
【００２０】
投影部３５は、画像を外部に投影させる機能を備える。また、投影部３５は、画像を表示する表示部であってもよい。通信部３６は、送信機能及び受信機能を備えており、ネットワークを介して他の機器との通信を行う。例えば、通信部３６は、画像供給装置２が供給する画像などを受信する。
【００２１】
図６は、表示装置３が有する機能の概要を示す機能ブロック図である。表示装置３は、例えばスケジュール生成部３０、画像処理部３３、及び再生制御部３４を有する。スケジュール生成部３０は、表示装置３が複数の画像を再生するタイミングに対応するスケジュール情報を生成する。より詳細には、スケジュール生成部３０は、複数の画像供給装置２それぞれから受信した複数のプレイリスト情報を用いて、表示装置３が複数の画像を再生するタイミングに対応するスケジュール情報を生成する。
【００２２】
画像処理部３３は、例えば投影部３５が画像を投影（表示）させるために必要な処理を行う。再生制御部３４は、スケジュール情報に応じて複数の画像供給装置２から受信した複数の画像の再生（順序などを含む）を制御する。
【００２３】
なお、図４に示した画像供給装置２が有する機能、及び図６に示した表示装置３が有する機能の一部又は全部は、ハードウェアによって構成されてもよいし、プログラムとしてソフトウェアによって構成されてもよい。
【００２４】
また、画像供給装置２又は表示装置３が実行するプログラムは、ＲＯＭ等のメモリに予め組み込まれて提供されてもよい。また、画像供給装置２又は表示装置３が実行するプログラムは、インストール可能な形式又は実行可能な形式のファイルにされ、ＣＤ−ＲＯＭ、又はＤＶＤ等のコンピュータで読み取り可能な記憶媒体に書き込まれたコンピュータ・プログラム・プロダクトとして提供されてもよい。また、画像供給装置２又は表示装置３が実行するプログラムは、インターネット等のネットワークに接続されたコンピュータから提供されてもよい。
【００２５】
また、サーバ４は、画像供給装置２と同じ構成であってもよく、上述したスケジュール生成部３０の機能をさらに備えていてもよい。つまり、サーバ４は、表示装置３がスケジュール情報を生成する代わりに、スケジュール情報を生成し、生成したスケジュール情報を複数の画像供給装置２に対して送信するように構成されてもよい。
【００２６】
次に、表示システム１の動作例について、具体的に説明する。図７は、表示システム１の動作例を示すシーケンス図である。図７に示すように、まず、操作部２０は、ユーザによる操作に応じて、表示装置３に表示させる画像を選択し、選択結果をプレイリスト情報作成部２４に対して出力する（Ｓ１００）。
【００２７】
プレイリスト情報作成部２４は、操作部２０から入力された画像の選択結果に応じて、プレイリスト情報を作成し（Ｓ１０２）、作成したプレイリスト情報を通信部２６に対して送信する（Ｓ１０４）。
【００２８】
通信部２６は、プレイリスト情報作成部２４から受入れたプレイリスト情報を表示装置３の通信部３６に対して送信する（Ｓ１０６）。
【００２９】
通信部３６は、プレイリスト情報をスケジュール生成部３０に対して送信することにより、プレイリスト受信通知を行う（Ｓ１０８）。スケジュール生成部３０は、通信部３６から受入れたプレイリスト情報を用いて、画像供給装置２から表示装置３に対する画像送信タイミングを決定し、画像送信タイミングに対応するスケジュール情報を生成する（Ｓ１１０）。
【００３０】
また、通信部３６は、再生制御部３４に対してもプレイリスト情報を出力する（Ｓ１１２）。
【００３１】
スケジュール生成部３０は、生成したスケジュール情報に基づいて、画像供給装置２に対する画像送信要求を、通信部３６を介して行う（Ｓ１１４）。通信部３６は、スケジュール生成部３０からの要求に応じて、画像供給装置２の通信部２６へ画像送信要求を行う（Ｓ１１６）。
【００３２】
通信部２６は、受信した画像送信要求をプレイリスト情報作成部２４に対して出力する（Ｓ１１８）。プレイリスト情報作成部２４は、画像送信要求に応じて、通信部２６を介して画像送信を行う（Ｓ１２０）。通信部２６は、プレイリスト情報作成部２４が行う画像送信に応じて、画像を通信部３６へ送信する。
【００３３】
通信部３６は、通信部２６から受信した画像を再生制御部３４に対して出力することにより、画像受信通知を行う（Ｓ１２４）。再生制御部３４は、画像処理部３３に対してがそう処理要求を行う（Ｓ１２６）。画像処理部３３は、再生制御部３４からの画像処理要求に応じて、画像を投影部３５が投影するために必要な再生準備などの画像処理を行う（Ｓ１２８）。
【００３４】
画像処理部３３は、画像の再生準備が完了すると、その旨を再生制御部３４に対して通知する（Ｓ１３０）。再生制御部３４は、プレイリスト情報とスケジュール情報に基づいて、画像再生タイミングになったときに、画像の再生開始要求を画像処理部３３に対して出力する（Ｓ１３２）。画像処理部３３は、再生制御部３４から画像の再生開始要求を受けると、投影部３５に画像を投影させる（Ｓ１３４）。
【００３５】
つぎに、表示装置３によって画像を投影（表示）させるための手順について説明する。図８は、表示装置３によって画像を投影させるための手順を示すフローチャートである。まず、ユーザは、画像供給装置２に対して、再生する画像を複数選択し、スライドショーの設定（画像の再生順や静止画の表示間隔など）をする（Ｓ２００）。
【００３６】
画像供給装置２は、ユーザの入力に応じて、プレイリスト情報を作成し、画像供給装置２に送信する（Ｓ２０２）。
【００３７】
表示装置３は、複数の画像供給装置２からそれぞれプレイリスト情報を受信して、プレイリスト情報と表示装置３のスペック（仕様）から画像送信タイミングを決定する（Ｓ３０）。つまり、表示装置３は、スケジュール情報を生成する。図９は、表示装置３が画像送信タイミングを決定（スケジュール情報を生成）する場合に行う処理例を示すフローチャートである。
【００３８】
図９に示すように、表示装置３は、例えば画像供給装置Ａ（画像供給装置２）からプレイリスト情報Ａを受信する（Ｓ３００）。次に、表示装置３は、プレイリスト情報Ａの各画像の再生時間から画像供給装置Ａの画像再生タイミングを算出し、それを画像供給装置Ａの画像送信タイミングとする（Ｓ３０２）。
【００３９】
また、表示装置３は、例えば、画像供給装置Ｂ（画像供給装置２）からプレイリスト情報Ｂを受信する（Ｓ３０４）。次に、表示装置３は、プレイリスト情報Ｂの各画像の再生時間から画像供給装置Ｂの画像再生タイミングを算出する（Ｓ３０６）。
【００４０】
そして、表示装置３は、プレイリスト情報Ａ及びＢの各画像のデータサイズと表示装置３のスペック（画像転送速度）から各画像の転送時間を算出する（Ｓ３０８）。次に、表示装置３は、プレイリスト情報Ａ及びＢの画像再生タイミングを早い方から順に、画像送信タイミングを最後の転送時間の後とする。ただし、画像再生タイミングが最後の転送時間より前の場合は、画像再生タイミングを画像送信タイミングとする（Ｓ３１０）。
【００４１】
その後、表示装置３は、画像送信タイミングに基づいて画像送信を画像供給装置２に対して要求する（Ｓ２０４：図８）。
【００４２】
画像供給装置２は、表示装置３からの画像送信要求に応じて、画像を送信する（Ｓ２０６）。
【００４３】
表示装置３は、画像供給装置２が送信した画像を受信し（Ｓ２０８）、プレイリスト情報に基づいて画像再生する（Ｓ２１０）。
【００４４】
なお、スケジュール生成部３０が有する機能は次のようにも示される。スケジュール生成部３０は、複数のプレイリスト情報が示す複数の画像のサイズ、及び表示装置３の受信速度に基づいて、複数のプレイリスト情報が示す複数の画像にかかる転送時間を算出し、算出した複数の画像の転送時間と、プレイリスト情報が示す複数の画像の再生時間とに基づいて、同時に転送される画像の量が所定値を超えないように、所定値を超えると見込まれる画像を再生タイミングよりも前に転送し、表示装置３が複数の画像を再生する順に受信するようにスケジュール情報を生成する。
【００４５】
また、スケジュール生成部３０は、複数のプレイリスト情報が示す複数の画像の仕様と、表示装置３の画像を再生して表示する処理能力の仕様とに基づく画像処理時間を算出し、算出した画像処理時間に応じて、複数のプレイリスト情報が示す複数の画像にかかる転送時間を算出する。
【００４６】
また、スケジュール生成部３０は、複数のプレイリスト情報が示す複数の画像にかかる転送時間を算出した結果、所定値を超えると見込まれる画像を再生タイミングよりも前に転送しても、同時に転送される画像の量が所定値以下にならない場合、同時に転送される画像の量を所定値以下にするように、複数の画像供給装置２の少なくともいずれかに対して、供給する画像のデータ量を制限させる。
【００４７】
また、スケジュール生成部３０は、複数のプレイリスト情報が示す複数の画像にかかる転送時間を算出した結果、所定値を超えると見込まれる画像を再生タイミングよりも前に転送しても、同時に転送される画像の量が所定値以下にならない場合、予め定められた優先度の高い画像供給装置２が供給する画像を優先させてスケジュール情報を生成する。
【００４８】
また、スケジュール生成部３０は、供給する画像のフレームレートの高い順に優先度の高い画像供給装置２とする。また、スケジュール生成部３０は、さらに追加のプレイリスト情報を取得した場合、改めてスケジュール情報を生成する。例えば、表示装置３に画像を送信して表示させる画像供給装置２が増えた場合、スケジュール生成部３０は、改めてスケジュール情報を生成する。
【００４９】
また、画像供給装置２は、画像送信タイミングを次のように決めてもよい。例えば、画像供給装置２は、プレイリスト情報の画像のデータサイズと表示装置３のスペックの画像転送速度から各画像の転送時間を算出する。ここで、画像供給装置２は、その他の表示装置３のスペックから画像再生にかかる時間も算出して足してもよい。そして、画像供給装置２は、プレイリスト情報の各画像の再生時間と、算出した各画像の転送時間から、再生する順に他の転送期間と重複しないように再生タイミングより前に画像転送タイミングをずらしていく。
【００５０】
このように、実施形態にかかる表示システム１は、複数の画像供給装置がスケジュール情報が示すタイミングに合わせて、プレイリスト情報が示す再生順序で複数の画像を表示装置３へ送信するので、複数の画像供給装置２が供給する複数の画像を再生して表示する場合に、遅延や画質の劣化を低減させて表示させることを可能にすることができる。
【符号の説明】
【００５１】
１    表示システム
２    画像供給装置
３    表示装置
４    サーバ
２０  操作部
２１  ＣＰＵ
２２  メモリ
２３  画像処理部
２４  プレイリスト情報作成部
２５  符号化部
２６  通信部
３０  スケジュール生成部
３１  ＣＰＵ
３２  メモリ
３３  画像処理部
３４  再生制御部
３５  投影部
３６  通信部
【先行技術文献】
【特許文献】
【００５２】
【特許文献１】特開２００２−０２３７１９号公報
【図２】
2017059966.tif 000003
【図３】
2017059966.tif 000004
【図４】
2017059966.tif 000005
【図５】
2017059966.tif 000006
【図６】
2017059966.tif 000007
【図７】
2017059966.tif 000008
【図８】
2017059966.tif 000009
【図９】
2017059966.tif 000010
【図１】
2017059966.tif 000011